(57)【要約】【課題】高い開放感を演出できると共に、床面に対して三次元方向までの高い展開性を確保できるユニット家具を提供すること。【解決手段】ユニットモジュールＭを構成要素として有するユニット家具ＵＦにおいて、ユニットモジュールＭは、直角屈曲形状である一対の第１モジュール基板１及び第２モジュール基板２と、互いに平行に配置される第１支持板３、第２支持板４及び中間支持板５と、を備える。第１支持板３は、第２長辺１ｂ，２ｂに沿う対向間隔のうち、第１長辺１ａ，２ａと交わる位置から途中位置まで部分的に連結する。第２支持板４は、第４短辺１ｆ，２ｆに沿う対向間隔を全長にわたって連結する。中間支持板５は、第２短辺１ｄ，２ｄに沿う対向間隔を連結する。一対の第１モジュール基板１及び第２モジュール基板２の支持方向寸法を短辺寸法LSに設定し、長辺寸法LLと短辺寸法LSとの比率を、２：１に設定する。【選択図】図１
2020156913.tif 000002
【特許請求の範囲】
【請求項１】
形状とサイズが規格化されたユニットモジュールを構成要素として有するユニット家具において、
前記ユニットモジュールは、
直交する第１長辺、第２長辺、及び、互いに直交する第１短辺、第２短辺、第３短辺、第４短辺によって囲まれた直角屈曲形状であり、所定の間隔を介して平行に対向配置される一対の第１モジュール基板及び第２モジュール基板と、
前記一対の第１モジュール基板及び第２モジュール基板を所定の対向間隔を介して連結支持する支持部材であって、同一方向であって互いに平行に配置される第１支持板、第２支持板及び中間支持部材と、を備え、
前記第１支持板は、前記第２長辺に沿う対向間隔のうち、前記第１長辺と交わる位置から途中位置まで部分的に連結し、
前記第２支持板は、前記第４短辺に沿う対向間隔を全長にわたって連結し、
前記中間支持部材は、前記第２短辺に沿う対向間隔を連結し、
前記一対の第１モジュール基板及び第２モジュール基板の支持方向寸法を短辺寸法に設定し、長辺寸法と短辺寸法との比率を、２：１に設定する
ことを特徴とするユニット家具。
【請求項２】
請求項１に記載されたユニット家具において、
前記中間支持部材を、前記第１支持板と前記第２支持板と同一方向であって互いに平行に配置される中間支持板とし、
前記中間支持板は、前記第２短辺に沿う対向間隔のうち、前記第１短辺と交わる位置から前記第３短辺と交わる位置を経由して前記第１長辺と交わる位置へと向かう途中位置まで部分的に連結する
ことを特徴とするユニット家具。
【請求項３】
請求項１又は２に記載されたユニット家具において、
前記ユニットモジュールを複数個用意し、前記第１モジュール基板と前記第２モジュール基板との板形状が床面に対して縦方向に互いに重なり合うように、前記ユニットモジュールを床面から縦方向に複数個積層して組み合わせる
ことを特徴とするユニット家具。
【請求項４】
請求項１又は２に記載されたユニット家具において、
前記ユニットモジュールを複数個用意し、前記第１モジュール基板又は前記第２モジュール基板の板上面が床面に対して平行な同一面になるように、複数個の前記ユニットモジュールの短辺を互いに突き合わせた状態で床面に沿う横方向に組み合わせる
ことを特徴とするユニット家具。
【請求項５】
請求項１又は２に記載されたユニット家具において、
前記ユニットモジュールを２個用意し、前記第１長辺のうち半分領域を突き合わせた状態で床面に沿う横方向に組み合わせて第１組み合わせ単位とし、
前記ユニットモジュールを２個用意し、前記第２長辺のうち半分領域を突き合わせた状態で床面に沿う横方向に組み合わせて第２組み合わせ単位とし、
前記第１組み合わせ単位と前記第２組み合わせ単位を、床面から縦方向に複数段積層して組み合わせる
ことを特徴とするユニット家具。
【請求項６】
請求項１から５までの何れか一項に記載されたユニット家具において、
前記ユニットモジュールは、前記第１モジュール基板と前記第２モジュール基板と前記第１支持板と前記第２支持板と前記中間支持部材とを一体構成とし、
モジュール組み合わせやモジュール組み換えを行う際、所望位置へ載置するだけで連結固定機能が発揮されるモジュール重量の設定とする
ことを特徴とするユニット家具。
【発明の詳細な説明】
【技術分野】
【０００１】
本発明は、多用途に適用されるユニット家具に関する。
【背景技術】
【０００２】
従来、底板、天井板及びこれらの端部を連接する左右の側板を有し、該左右の側板には上下に貫通する連通孔をそれぞれ備えた複数の角筒体と、前記連通孔に挿通可能な長尺の第１の連結部材とを有し、前記左右の側板のうち一方の側板の連通孔と他方の側板の連通孔の位置を合わせて上下に互い違いに配置した前記角筒体を、前記連通孔を挿通する前記第１の連結部材で連結したことを特徴とする複合ユニット家具が知られている（例えば、特許文献１参照）。
【先行技術文献】
【特許文献】
【０００３】
【特許文献１】実用新案登録第３１３６２３８号公報
【発明の概要】
【発明が解決しようとする課題】
【０００４】
先行技術は、上下に互い違いに配置した角筒体に有する連通孔の位置を合わせ、位置を合わせた連通孔に第１の連結部材を挿通して連結する構成としている。このため、複合ユニット家具として床面に設置したとき、開口空間が角筒体を構成する底板、天井板及び左右の側板により囲まれた一方向空間になり、開放感を演出することができない。加えて、複合ユニット家具を構成する角筒体は、床面と垂直な二次元垂直方向に展開することはできるものの、床面と平行な二次元平面方向や床面に対して三次元方向に展開することができない、という課題があった。
【０００５】
本発明は、上記課題に着目してなされたもので、高い開放感を演出できると共に、床面に対して三次元方向までの高い展開性を確保できるユニット家具を提供することを目的とする。
【課題を解決するための手段】
【０００６】
上記目的を達成するため、本発明のユニット家具は、形状とサイズが規格化されたユニットモジュールを構成要素として有する。
ユニットモジュールは、
直交する第１長辺、第２長辺、及び、互いに直交する第１短辺、第２短辺、第３短辺、第４短辺によって囲まれた直角屈曲形状であり、所定の間隔を介して平行に対向配置される一対の第１モジュール基板及び第２モジュール基板と、
一対の第１モジュール基板及び第２モジュール基板を所定の対向間隔を介して連結支持する支持部材であって、同一方向であって互いに平行に配置される第１支持板、第２支持板及び中間支持部材と、を備える。
第１支持板は、第２長辺に沿う対向間隔のうち、第１長辺と交わる位置から途中位置まで部分的に連結する。
第２支持板は、第４短辺に沿う対向間隔を全長にわたって連結する。
中間支持部材は、第２短辺に沿う対向間隔を連結する。
一対の第１モジュール基板及び第２モジュール基板の支持方向寸法を短辺寸法に設定し、長辺寸法と短辺寸法との比率を、２：１に設定する。
【発明の効果】
【０００７】
このように、一対のモジュール基板を支持部材により部分的に連結することにより、Ｌ字ボックス形状によるユニットモジュールが構成される。
即ち、ユニットモジュールを支持部材による部分的な連結構造としたことで、支持部材を除いた非連結領域による開口部がモジュール基板外周に形成され、高い開放感を演出することができる。そして、ユニットモジュールをＬ字ボックス形状としたことで、組み合わせ自由度や組み換え自由度が高くなり、床面に対して三次元方向までの高い展開性を確保することができる。
【図面の簡単な説明】
【０００８】
【図１】実施例１のユニット家具の構成要素となるユニットモジュールを示す斜視図である。
【図２】ユニットモジュールを示す分解斜視図である。
【図３】ユニットモジュールを示す横断面図である。
【図４】ユニットモジュールを示す正面図である。
【図５】ユニット家具のモジュール組み合わせ形態例１での壁に接しない床面へ設置するタワー棚の用途例を示す斜視図である。
【図６】モジュール組み合わせ形態例１でのコーナー壁へ設置するタワー棚の用途例を示す平面図である。
【図７】モジュール組み合わせ形態例１での柱突出壁へ設置するタワー棚の用途例を示す平面図である。
【図８】ユニット家具のモジュール組み合わせ形態例２での方形状テーブル面を確保するローテーブルの用途例を示す斜視図である。
【図９】モジュール組み合わせ形態例２での環状テーブル面を確保するローテーブルの用途例を示す平面図である。
【図１０】ユニット家具のモジュール組み合わせ形態例３での三次元空間棚を構成する第１組み合わせ単位を示す平面図である。
【図１１】モジュール組み合わせ形態例３での三次元空間棚を構成する第２組み合わせ単位を示す平面図である。
【図１２】モジュール組み合わせ形態例３での２種類の組み合わせ単位を用いる三次元空間棚の用途例を示す斜視図である。
【発明を実施するための形態】
【０００９】
以下、本発明によるユニット家具を実施するための形態を、図面に示す実施例１に基づいて説明する。
【実施例１】
【００１０】
実施例１におけるユニット家具は、形状とサイズが規格化されたユニットモジュールを構成要素（＝ユニット家具を構成する最小単位）とし、用途に応じてユニットモジュールを適宜組み合わせる多用途ユニット家具の例である。以下、実施例１の構成を、「ユニットモジュールの詳細構成」、「ユニット家具の詳細構成」に分けて説明する。
【００１１】
［ユニットモジュールの詳細構成］
図１〜図４は、実施例１のユニット家具の構成要素となるユニットモジュールＭを示す。以下、図１〜図４に基づいて、ユニットモジュールＭの詳細構成を説明する。
【００１２】
ユニットモジュールＭは、ユニット家具の構成要素であり、形状とサイズの規格化により組み合わせ自由度や交換自由度を持たせたモジュールである。このユニットモジュールＭは、図１及び図２に示すように、第１モジュール基板１と、第２モジュール基板２と、第１支持板３と、第２支持板４と、中間支持板５（中間支持部材）と、による構成としている。
【００１３】
第１モジュール基板１は、直交する第１長辺１ａ、第２長辺１ｂ、及び、互いに直交する第１短辺１ｃ、第２短辺１ｄ、第３短辺１ｅ、第４短辺１ｆによって囲まれた直角屈曲形状（Ｌ字形状）の板である。なお、第１短辺１ｃ、第２短辺１ｄ、第３短辺１ｅ、第４短辺１ｆは、第１長辺１ａの開放端と第２長辺１ｂの開放端とを互いに直交しながら繋ぐ辺である。
【００１４】
第２モジュール基板２は、直交する第１長辺２ａ、第２長辺２ｂ、及び、互いに直交する第１短辺２ｃ、第２短辺２ｄ、第３短辺２ｅ、第４短辺２ｆによって囲まれた直角屈曲形状（Ｌ字形状）の板である。この第２モジュール基板２は、第１モジュール基板１と同一形状で、かつ、同一サイズであり、第１モジュール基板１に対して所定の間隔を介して平行に対向配置することで、一対の対向するＬ字形状板を構成する。
【００１５】
第１支持板３、第２支持板４及び中間支持板５は、一対の第１モジュール基板１及び第２モジュール基板２を所定の対向間隔を介して連結支持する支持部材であって、同一方向（図２のＸ軸方向）であって互いに平行に配置される。なお、第１支持板３、第２支持板４及び中間支持板５に平行な方向を「Ｘ軸方向」といい、第１支持板３、第２支持板４及び中間支持板５に垂直な方向を「Ｙ軸方向」といい、第１モジュール基板１及び第２モジュール基板２に垂直な方向を「Ｚ軸方向」という。
【００１６】
第１支持板３は、第２長辺１ｂ，２ｂに沿う対向間隔のうち、第１長辺１ａ，２ａと交わる位置から途中位置まで部分的に連結している。具体的な第１支持板３のＸ軸方向長さは、図３に示すように、第１長辺１ａ，２ａと交わる位置から長辺寸法LLの半分、つまり、第２支持板４と同じ短辺寸法LSの長さに設定している。
【００１７】
第２支持板４は、第４短辺１ｆ，２ｆに沿う対向間隔を全長にわたって連結している。つまり、第２支持板４のＸ軸方向長さは、第１支持板３と同じ短辺寸法LSの長さに設定している。
【００１８】
中間支持板５は、第１支持板３と第２支持板４との中間位置に両支持板３，４と平行に配置され、第２短辺１ｄ，２ｄに沿う対向間隔を連結する支持部材である。中間支持板５は、第２短辺１ｄ，２ｄに沿う対向間隔のうち、第１短辺１ｃ，２ｃと交わる位置から第３短辺１ｅ，２ｅと交わる位置を経由して第１長辺１ａ，２ａと交わる位置へと向かう途中位置まで部分的に連結している。具体的な中間支持板５のＸ軸方向長さは、図３に示すように、第２短辺１ｄ，２ｄに沿う対向間隔を全長にわたって連結し、さらに、第３短辺１ｅ，２ｅと交わる位置から第１長辺１ａ，２ａへ延びる長さを、短辺寸法LSの半分の長さによる途中位置までの設定としている。
【００１９】
次に、ユニットモジュールＭを支持部材（第１支持板３、第２支持板４及び中間支持板５）による部分的な連結構造としたことで、支持部材を除いた非連結領域によりモジュール基板外周及びモジュール内部に形成される開口部について説明する。
【００２０】
モジュール基板外周には、図３に示すように、第１長辺１ａ，２ａに沿う対向間隔と第１支持板３と第２支持板４の対向配置により第１開口部OP１が形成される。そして、第３短辺１ｅ，２ｅに沿う対向間隔と第２支持板４と中間支持板５の対向配置により第２開口部OP２が形成される。さらに、第２長辺１ｂ，２ｂに沿う半分の対向間隔と、第１短辺１ｃ，２ｃに沿う対向間隔と、第１支持板３と中間支持板５の平行配置によりコーナー開口部OP３が形成される。
【００２１】
第１開口部OP１と第２開口部OP２は、モジュール外部とモジュール内部の正方形スペースＳ１とをＸ軸方向に連通開口する。第１開口部OP１とコーナー開口部OP３は、モジュール外部とモジュール内部の長方形スペースＳ２とをＸ軸方向とＹ軸方向との二方向から連通開口する。
【００２２】
モジュール内部には、中間支持板５の端面と一対の第１モジュール基板１及び第２モジュール基板２に囲まれた内部開口部OP４が形成される。この内部開口部OP４は、モジュール内部の正方形スペースＳ１と長方形スペースＳ２とを連通する。
【００２３】
一対の第１モジュール基板１及び第２モジュール基板２の支持方向寸法（Ｚ軸方向の寸法）は、図４に示すように、第１短辺２ｃ、第２短辺２ｄ、第３短辺２ｅ、第４短辺２ｆと同じ短辺寸法LSに設定している。この設定によって、ユニットモジュールＭの長辺寸法LLと短辺寸法LSとの比率を、２（長辺寸法LL）：１（短辺寸法LS）に設定し、ユニットモジュールＭの形状とサイズを規格化している。
【００２４】
ユニットモジュールＭは、図1及び図２に示すように、第１モジュール基板１と第２モジュール基板２と第１支持板３と第２支持板４と中間支持板５とを互いに接着させた一体構成としている。そして、モジュール組み合わせやモジュール組み換えを行う際、所望位置へ載置するだけで連結固定機能が発揮されるモジュール重量の設定としている。言い換えると、ユニット家具で一般に用いられる連結ブラケットやネジ等の連結具を用いることなく、所望の位置に載置するだけでユニットモジュールＭの組み合わせが行える設定としている。また、ユニットモジュールＭの組み換えを行う際も、連結具を外したり連結具を取り付けたりする作業を無くす設定としている。
【００２５】
ユニットモジュールＭの板素材としては、木材（例えば、ホワイトアッシュ等）、樹脂（例えば、アクリル樹脂等）、軽金属（例えば、アルミ合金系）等が用いられる。「ホワイトアッシュ」は、木質は重く強靭で硬さにすぐれ、衝撃にも強いという特性を備え、加工性に優れている。「アクリル樹脂」は、ガラスの光線透過率を超える透明感を備え、加工性に優れている。「軽金属」は、強度に優れ、加工性にも優れている。
【００２６】
ここで、例えば、ユニットモジュールＭの板素材としてアクリル樹脂を選択した場合、板厚を20mm、長辺寸法LLを740mm、短辺寸法LSを370mmに設計し、アクリル系接着剤を用いて重合接着する。これにより、モジュール重量が高重量による設定になり、ユニットモジュールＭの単独による自立固定機能や複数個のユニットモジュールＭを組み合わせたときの連結固定機能を発揮するようにしている。加えて、板素材としてアクリル樹脂を選択すると、透明感が演出されたユニットモジュールＭになり、例えば、ホワイトアッシュ材によるユニットモジュールＭとの組み合わせることにより、デザイン性が高くて上質なユニット家具を構成することができる。
【００２７】
［ユニット家具の詳細構成］
ユニットモジュールＭを複数個用意し、これらを用途に応じて組み合わせることで構成されるユニット家具ＵＦを、図５〜図１２に基づき（タワー棚ＵＦ１の用途例）、（ローテーブルＵＦ２の用途例）、（三次元空間棚ＵＦ３の用途例）に分けて説明する。
【００２８】
（タワー棚の用途例：図５〜図７）
ユニット家具ＵＦをタワー棚ＵＦ１として用いる場合は、ユニットモジュールＭを、要求される棚の段数に応じて複数個用意する。そして、第１モジュール基板１と第２モジュール基板２とのＬ字板形状が床面に対して縦方向に互いに重なり合うように、ユニットモジュールＭを床面から縦方向（Ｚ軸方向）に複数個積層して組み合わせる。
【００２９】
タワー棚ＵＦ１を壁に接しない床面へ設置するモジュール組み合わせ形態例１では、図５に示すように、ユニットモジュールＭ１，Ｍ２，Ｍ３，Ｍ４を、床面から縦方向（Ｚ軸方向）に４個積層して組み合わせる。このとき、１段目と３段目のユニットモジュールＭ１，Ｍ３と２段目と４段目のユニットモジュールＭ１，Ｍ３とは、第１モジュール基板１と第２モジュール基板２の上下位置関係を逆にして交互に組み合わせる。
【００３０】
タワー棚ＵＦ１をコーナー壁ＣＷへ設置するモジュール組み合わせ形態例２（コーナーシェルフ）では、図６に示すように、例えば、図５に示すタワー棚ＵＦ１を1組用いる。そして、第１モジュール基板１及び第２モジュール基板２の直交する長辺を、コーナー壁ＣＷの直交する壁面Ｗａ，Ｗｂに突き合わせて設置する。
【００３１】
タワー棚ＵＦ１を柱突出壁ＰＷへ設置するモジュール組み合わせ形態例３では、図７に示すように、例えば、図５に示すタワー棚ＵＦ１を２組用いる。そして、第１モジュール基板１と第２モジュール基板２の直交する短辺を、柱突出壁ＰＷから突出する壁面Ｗｃの２つのコーナー位置にそれぞれ突き合わせて設置する。
【００３２】
（ローテーブルの用途例：図８及び図９）
ユニット家具ＵＦをローテーブルＵＦ２として用いる場合は、ユニットモジュールＭを、要求されるテーブル面積やテーブル形状に応じて複数個用意する。そして、第１モジュール基板１又は第２モジュール基板２の板上面が床面に対して平行な同一面になるように、複数個のユニットモジュールＭの短辺を互いに突き合わせた状態で床面に沿う横方向（Ｘ軸方向、Ｙ軸方向）に組み合わせる。
【００３３】
長方形状テーブル面が確保されるローテーブルＵＦ2-1を床面へ設置するモジュール組み合わせ形態例１では、図８に示すように、ユニットモジュールＭ１とユニットモジュールＭ２を用意する。そして、床面に配置したユニットモジュールＭ１とユニットモジュールＭ２の互いの短辺（第１短辺１ｃ，２ｃ、第２短辺１ｄ，２ｄ、第３短辺１ｅ，２ｅ）を組み合わせて長方形状テーブル面を確保する。
【００３４】
環状テーブル面が確保されるローテーブルＵＦ2-2を床面へ設置するモジュール組み合わせ形態例２では、図９に示すように、Ｌ字形状の４個のユニットモジュールＭ１，Ｍ２，Ｍ３，Ｍ４を用意する。そして、床面に配置したユニットモジュールＭ１，Ｍ２，Ｍ３，Ｍ４を、互いの短辺（第１短辺１ｃ，２ｃ、第４短辺１ｆ，２ｆ）を組み合わせて正方形環状テーブル面を確保する。
【００３５】
（三次元空間棚用途例：図１０〜図１２）
ユニット家具ＵＦを三次元空間棚ＵＦ３として用いる場合は、ユニットモジュールＭを、要求される棚の段数に応じて複数個用意する。そして、第１モジュール基板１又は第２モジュール基板２の板面が床面に対して平行な同一面になるように、２個のユニットモジュールＭの第１長辺１ａ，２ａ又は第２長辺１ｂ，２ｂのうち半分領域を互いに突き合わせた状態で床面に沿う横方向に組み合わせる。
【００３６】
三次元空間棚ＵＦ３を床面へ設置するモジュール組み合わせ形態例１では、ユニットモジュールＭの組み合わせとして、２種類の第１組み合わせ単位Ｍu1と第２組み合わせ単位Ｍu２とを用意する。
【００３７】
第１組み合わせ単位Ｍu1は、図１０に示すように、ユニットモジュールＭを２個用意し、第１長辺１ａ，２ａのうち半分領域（第１開口部OP１の半分領域）を突き合わせた状態で床面に沿う横方向に組み合わせる。
【００３８】
第２組み合わせ単位Ｍu２は、図１１に示すように、ユニットモジュールＭを２個用意し、第２長辺１ｂ，２ｂのうち半分領域（コーナー開口部OP３の長辺開口領域）を突き合わせた状態で床面に沿う横方向に組み合わせる。
【００３９】
そして、図１２に示すように、第１組み合わせ単位Ｍu１を１段目と３段目とし、第２組み合わせ単位Ｍu２を２段目と４段目とし、床面から縦方向に４段積層して組み合わせることで三次元空間棚ＵＦ３が構成される。
【００４０】
次に、「背景技術と課題解決対策」を説明する。そして、実施例１の作用を、「タワー棚における作用」、「ローテーブルにおける作用」、「三次元空間棚における作用」に分けて説明する。
【００４１】
［背景技術と課題解決対策］
背景技術のユニット家具として一般的に知られているのは、方形状の板で４方向が囲まれ、１方向に開口空間が形成される方形ボックス形状による角筒体を、１種類、又は、サイズや形状を異ならせて２種類以上用意し、複数個の角筒体を組み合わせることで構成される。
【００４２】
よって、ユニット家具として床面に設置したとき、開口空間が角筒体を構成する底板、天井板及び左右の側板に囲まれた一方向空間になり、開口部が同一面の板端面により囲まれた状態になる。このため、４方向から閉鎖的に囲まれた板により開口部及び開口空間の拡がり感が阻害され、ユニット家具として複数個を組み合わせたとき、開放感を演出することができない。
【００４３】
加えて、角筒体を複数個組み合わせてユニット家具を構成するとき、床面と垂直な二次元垂直方向に展開することはできる。しかし、角筒体を複数個組み合わせてユニット家具を構成するとき、床面と平行な二次元平面方向や床面に対して三次元方向に展開することができない。このため、ユニット家具の用途として、飾り棚や商品陳列棚の用途に限定されてしまうし、外観形状も単調な形状になってしまう。即ち、「多用途に用いることができ、しかも、他の用途への変更に対して互換性を持つのに加え、デザイン性が高くてインテリアに合うユニット家具が欲しい。」というユーザニーズに応えることができない、という課題があった。
【００４４】
本発明者等は、上記課題を解決するため、形状とサイズが規格化されたユニットモジュールを用いてユニット家具を構成することを前提とした。そして、ユニットモジュールを用いる場合、モジュール構造により開放感の演出が可能であり、モジュール形状により三次元方向への展開が可能である点に着目した。この着目点に基づいて、本発明のユニット家具ＵＦは、形状とサイズが規格化されたユニットモジュールＭを構成要素として有する。ユニットモジュールＭは、直角屈曲形状（Ｌ字形状）であり、所定の間隔を介して平行に対向配置される一対の第１モジュール基板１及び第２モジュール基板２と、一対の第１モジュール基板１及び第２モジュール基板２を所定の対向間隔を介して連結支持する支持部材であって、同一方向であって互いに平行に配置される第１支持板３、第２支持板４及び中間支持板５と、を備える。第１支持板３は、第２長辺１ｂ，２ｂに沿う対向間隔のうち、第１長辺１ａ，２ａと交わる位置から途中位置まで部分的に連結する。第２支持板４は、第４短辺１ｆ，２ｆに沿う対向間隔を全長にわたって連結する。中間支持板５は、第２短辺１ｄ，２ｄに沿う対向間隔を連結する。一対の第１モジュール基板１及び第２モジュール基板２の支持方向寸法を短辺寸法LSに設定し、長辺寸法LLと短辺寸法LSとの比率を、２：１に設定するという課題解決対策を採用した。
【００４５】
このように、一対のモジュール基板１，２を支持部材である第１支持板３、第２支持板４及び中間支持板５により部分的に連結することで、Ｌ字ボックス形状によるユニットモジュールＭが構成される。即ち、ユニットモジュールＭを支持部材による部分的な連結構造としたことで、支持部材を除いた非連結領域による開口部（第１開口部OP１と第２開口部OP２とコーナー開口部OP３）がモジュール基板外周に形成される。このため、ユニットモジュールＭを組み合わせたとき、高い開放感を演出することができる。特に、コーナー開口部OP３は、斜め方向からの見通しが確保されることで開放感の演出効果を高くしているし、ユニット家具ＵＦの内部に連通する空間を形成するとき、ユニットモジュールＭの組み合わせを確保する開口部になっている。
【００４６】
ユニットモジュールＭを、方形ボックス形状ではなく二次元形状によるＬ字ボックス形状としたことで、ユニットモジュールＭを組み合わせるときに組み合わせ自由度が高くなるし、ユニットモジュールＭを組み換えるときに組み換え自由度が高くなる。このため、床面と平行な二次元平面方向や床面に対して三次元方向にも展開できるというように、床面に対して三次元方向までの高い展開性を確保することができる。
【００４７】
ここで、中間支持板５は、第２短辺１ｄ，２ｄに沿う対向間隔のうち、第１短辺１ｃ，２ｃと交わる位置から第３短辺１ｅ，２ｅと交わる位置を経由して第２長辺１ｂ，２ｂと交わる位置へと向かう途中位置まで部分的に連結している。よって、長辺寸法LLの3/4の長さを持つ中間支持板５によりユニットモジュールＭが補強されるし、長辺寸法LLの1/4の長さを持つモジュール内部に内部開口部OP４が形成される。このため、ユニットモジュールＭに加わる外力に対して変形を抑える耐強度が確保される。加えて、ユニットモジュールＭには、内部の正方形スペースＳ１と長方形スペースＳ２とを連通する連通空間が形成される。
【００４８】
［タワー棚における作用］
ユニット家具ＵＦをタワー棚ＵＦ１として用いる形態例は、Ｘ軸方向とＹ軸方向に延びる二次元構成のユニットモジュールＭを、縦方向の積層によりＺ軸方向に延ばすという三次元展開の例である。
【００４９】
図５に示す壁に接しない床面へ設置するモジュール組み合わせ形態例１でのタワー棚ＵＦ１の組み合わせ作用を説明する。まず、ユニットモジュールＭを、要求される棚の段数に応じて複数個用意する。そして、１段目は、設置予定の床面位置に、第１モジュール基板１を下側に第２モジュール基板２を上側としたユニットモジュールＭ１（図３参照）を配置する。２段目は、ユニットモジュールＭ１の上に、第２モジュール基板２を下側に第１モジュール基板１を上側としたユニットモジュールＭ２（図１参照）を載置する。３段目は、ユニットモジュールＭ２の上に、ユニットモジュールＭ１と同じ形状のユニットモジュールＭ３を載置する。４段目は、ユニットモジュールＭ３の上に、ユニットモジュールＭ２と同じ形状のユニットモジュールＭ４を載置する。
【００５０】
このとき、外観デザイン性を高めるように、例えば、１段目と３段目のユニットモジュールＭ１，Ｍ３の板素材を木材とし、２段目と４段目のユニットモジュールＭ２，Ｍ４の板素材をアクリル樹脂とするように、交互に板素材を異ならせたユニットモジュールを用いても良い。
【００５１】
このように、ユニットモジュールＭ１〜Ｍ４を順次積み上げていくという簡単な組み合わせ作業だけでタワー棚ＵＦ１を完成させることができ、各段の棚へはモジュール全周方向からアプローチすることができる。なお、タワー棚ＵＦ１の用途としては、自宅のリビングに設置した場合、インテリアに合う上質な飾り棚とすることができる。また、店舗に使用した場合は、客の目を引く商品陳列棚とすることができる。
【００５２】
図６に示すコーナー壁ＣＷへ設置するモジュール組み合わせ形態例２でのタワー棚ＵＦ１の組み合わせ作用を説明する。この場合、例えば、図５に示すタワー棚ＵＦ１を1組用意する。そして、第１モジュール基板１と第２モジュール基板２の直交する長辺を、コーナー壁ＣＷの直交する壁面Ｗａ，Ｗｂに突き合わせて設置する。なお、壁面Ｗａに沿う方向と壁面Ｗｂに沿う方向の空きスペースについては、タワー棚ＵＦ１の短辺からそれぞれ延長するように、別のユニット家具を設置しても良い。
【００５３】
例えば、既存の二次元垂直展開によるユニット家具の場合、コーナー壁に対して２方向からユニット家具を設置すると、コーナー部分は家具を設置できないデッドスペースになってしまう。これに対し、ユニットモジュールＭ１〜Ｍ４の直交する長辺を用いてコーナー壁ＣＷのコーナー部分にタワー棚ＵＦ１を設置することで、デッドスペースを有効活用することができる。言い換えると、タワー棚ＵＦ１は、そのままコーナーシェルフとして流用することができる。
【００５４】
図７に示す柱突出壁ＰＷへ設置するモジュール組み合わせ形態例３のタワー棚ＵＦ１での組み合わせ作用を説明する。この場合、例えば、図５に示すタワー棚ＵＦ１を２組用意する。そして、第１モジュール基板１と第２モジュール基板２の直交する短辺を、柱突出壁ＰＷから突出する壁面Ｗｃの２つのコーナー位置にそれぞれ突き合わせて設置する。なお、方形断面の柱だけが壁から離れて独立している場合は、例えば、図５に示すタワー棚ＵＦ１を４組用い、柱の４方向壁面を囲むように配置しても良い。
【００５５】
例えば、既存の二次元垂直展開によるユニット家具の場合、柱部分は家具を設置できないデッドスペースになってしまう。これに対し、ユニットモジュールＭ１〜Ｍ４の直交する短辺を用いて柱突出壁ＰＷの２つのコーナー位置にタワー棚ＵＦ１を設置することで、デッドスペースを有効活用することができる。
【００５６】
［ローテーブルにおける作用］
ユニット家具ＵＦをローテーブルＵＦ２として用いる形態例は、Ｘ軸方向とＹ軸方向に延びる二次元構成のユニットモジュールＭを、さらに横方向へ展開させる二次元水平展開の例である。
【００５７】
図８に示す床面へ設置するモジュール組み合わせ形態例１での方形状テーブル面が確保されるローテーブルＵＦ2-1の組み合わせ作用を説明する。まず、ユニットモジュールＭを２個用意する。そして、ユニットモジュールＭ１を、設置予定の床面の位置に配置し、ユニットモジュールＭ２を、ユニットモジュールＭ１に組み合わせて配置する。このとき、互いの短辺（第１短辺１ｃ，２ｃ、第２短辺１ｄ，２ｄ、第３短辺１ｅ，２ｅ）を突き合わせることで、第１モジュール基板１と第２モジュール基板２により１つのテーブル面になるように組み付ける。この組み合わせにより、テーブル面積が第１モジュール基板１（又は第２モジュール基板２）の板面積の２倍であり、（縦寸法：長辺寸法LL）×（横寸法：長辺寸法LL＋短辺寸法LS）の長方形状テーブル面が確保される。
【００５８】
このように、２個のユニットモジュールＭ１，Ｍ２を組み合わせるという簡単な組み合わせ作業だけで、短辺寸法LSをテーブル高さとし、テーブル面として長方形状テーブル面が確保されるローテーブルＵＦ2-1を完成させることができる。
【００５９】
図９に示す床面へ設置するモジュール組み合わせ形態例２での環状テーブル面が確保されるローテーブルＵＦ2-2の組み合わせ作用を説明する。まず、ユニットモジュールＭを４個用意する。そして、設置予定の床面の位置に、ユニットモジュールＭ１，Ｍ２，Ｍ３，Ｍ４を、互いの短辺（第１短辺１ｃ，２ｃ、第４短辺１ｆ，２ｆ）を突き合わせることで正方形状に連なって配置する。この組み合わせにより、テーブル面積が、第１モジュール基板１（又は第２モジュール基板２）の板面積の４倍であり、（縦寸法：２×長辺寸法LL）×（横寸法：２×長辺寸法LL）の正方形環状テーブル面が確保される。
【００６０】
このように、４個のユニットモジュールＭ１，Ｍ２，Ｍ３，Ｍ４を組み合わせるという簡単な組み合わせ作業だけで、短辺寸法LSをテーブル高さとし、テーブル面として正方形環状テーブル面が確保されるローテーブルＵＦ2-2を完成させることができる。
【００６１】
［三次元空間棚における作用］
ユニット家具ＵＦを三次元空間棚ＵＦ３として用いる形態例は、Ｘ軸方向とＹ軸方向に延びる二次元構成による２個のユニットモジュールＭの外形形状に凹凸を持たせて横方向に繋いだ拡大二次元構成に展開する。その上で縦方向の積層によりＺ軸方向に延ばすという三次元展開の例である。
【００６２】
図１２に示す床面へ設置するモジュール組み合わせ形態例１での三次元空間棚ＵＦ３の組み合わせ作用を説明する。まず、ユニットモジュールＭを、要求される棚の段数に応じて８個用意する。そして、１段目は、設置予定の床面位置に、第１組み合わせ単位Ｍu１（図１０）を設定する。２段目は、１段目の上に、第２組み合わせ単位Ｍu２（図１１）を積み上げる。３段目は、２段目の上に、第１組み合わせ単位Ｍu１（図１０）を積み上げる。４段目は、３段目の上に、第２組み合わせ単位Ｍu２（図１１）を積み上げる。つまり、図１２に示すように、第１組み合わせ単位Ｍu１を１段目と３段目とし、第２組み合わせ単位Ｍu２を２段目と４段目とし、床面から縦方向に４段積層して組み合わせることで三次元空間棚ＵＦ３が構成される。
【００６３】
第１組み合わせ単位Ｍu１は、図１０に示すように、外形形状がジグザグ形状になる。そして、内部空間（長方形スペースＳ２＋正方形スペースＳ１＋正方形スペースＳ１＋長方形スペースＳ２）は、図１０の矢印Ａに示すように、２つの内部開口部OP４を介して互いに連通する。同様に、第２組み合わせ単位Ｍu２は、図１１に示すように、外形形状が第１組み合わせ単位Ｍu１と同じジグザグ形状になる。そして、内部空間（正方形スペースＳ１＋長方形スペースＳ２＋長方形スペースＳ２＋正方形スペースＳ１）は、図１１の矢印Ｂに示すように、２つの内部開口部OP４を介して互いに連通する。
【００６４】
このように、第１組み合わせ単位Ｍu１と第２組み合わせ単位Ｍu２とを交互に４段積層するだけで三次元空間棚ＵＦ３を完成させることができ、各段の棚へはモジュール全周方向からアプローチすることができる。なお、三次元空間棚ＵＦ３の用途としては、自宅のリビングに設置した場合は、インテリアに合う上質な飾り棚とすることができるし、併せて、開放感を残したままで室内空間を仕切るパーテーション機能も得られる。また、店舗に使用した場合は、見通しが良くて客の目を引く商品陳列棚にすることができる。
【００６５】
そして、組み合わせ単位Ｍu１，Ｍu２を４段積層して組み合わせた構成の横位置に、図１２に示すように、ユニットモジュールＭの第２長辺１ｂ，２ｂを床面に載置したものを追加して組み合わせる。この場合、三次元空間棚ＵＦ３の用途としてキャットタワーの用途にすることができる。即ち、追加したユニットモジュールＭの中間支持板５と第２支持板４が猫にとって階段の役割を果たすし、組み合わせ単位Ｍu１，Ｍu２の内部連通空間が猫の縦横無尽な移動を許容する。なお、第２長辺１ｂ，２ｂを床面に載置したユニットモジュールＭは、人にとっても階段の役割を果たす。
【００６６】
以上説明したように、実施例１のユニット家具ＵＦにあっては、下記に列挙する効果を奏する。
【００６７】
(1) 形状とサイズが規格化されたユニットモジュールＭを構成要素として有するユニット家具ＵＦにおいて、
ユニットモジュールＭは、
直交する第１長辺１ａ，２ａ、第２長辺１ｂ，２ｂ、及び、互いに直交する第１短辺１ｃ，２ｃ、第２短辺１ｄ，２ｄ、第３短辺１ｅ，２ｅ、第４短辺１ｆ，２ｆによって囲まれた直角屈曲形状であり、所定の間隔を介して平行に対向配置される一対の第１モジュール基板１及び第２モジュール基板２と、
一対の第１モジュール基板１及び第２モジュール基板２を所定の対向間隔を介して連結支持する支持部材であって、同一方向であって互いに平行に配置される第１支持板３、第２支持板４及び中間支持部材（中間支持板５）と、を備え、
第１支持板３は、第２長辺１ｂ，２ｂに沿う対向間隔のうち、第１長辺１ａ，２ａと交わる位置から途中位置まで部分的に連結し、
第２支持板４は、第４短辺１ｆ，２ｆに沿う対向間隔を全長にわたって連結し、
中間支持部材（中間支持板５）は、第２短辺１ｄ，２ｄに沿う対向間隔を連結し、
一対の第１モジュール基板１及び第２モジュール基板２の支持方向寸法を短辺寸法LSに設定し、長辺寸法LLと短辺寸法LSとの比率を、２：１に設定する。
このため、ユニットモジュールＭの組み合わせや組み換え自由度により、高い開放感を演出することができると共に、床面に対して三次元方向までの高い展開性を確保することができる。
【００６８】
(2) 中間支持部材を、第１支持板３と第２支持板４と同一方向であって互いに平行に配置される中間支持板５とし、
中間支持板５は、第２短辺１ｄ，２ｄに沿う対向間隔のうち、第１短辺１ｃ，２ｃと交わる位置から第３短辺１ｅ，２ｅと交わる位置を経由して第１長辺１ａ，２ａと交わる位置へと向かう途中位置まで部分的に連結する。
このため、ユニットモジュールＭとしての耐強度確保と、ユニットモジュールＭの内部に形成される正方形スペースＳ１と長方形スペースＳ２とを連通する連通機能確保と、の両立を達成することができる。
【００６９】
(3) ユニットモジュールＭを複数個用意し、第１モジュール基板１と第２モジュール基板２との板形状が床面に対して縦方向に互いに重なり合うように、ユニットモジュールＭを床面から縦方向に複数個積層して組み合わせる。
このため、装飾品や商品のレイアウト自由度が高い棚機能が達成されるだけでなく、デッドスペースになるコーナー部分や柱部分への適用自由度を持つタワー棚ＵＦ１を提供することができる。
【００７０】
(4) ユニットモジュールＭを複数個用意し、第１モジュール基板１又は第２モジュール基板２の板上面が床面に対して平行な同一面になるように、複数個のユニットモジュールＭの短辺を互いに突き合わせた状態で床面に沿う横方向に組み合わせる。
このため、要求に応じてテーブル面積やテーブル形状を高い自由度により設定でき、かつ、テーブル面積やテーブル形状の要求の変更に対しても容易に対応できるローテーブルＵＦ２を提供することができる。
【００７１】
(5) ユニットモジュールＭを２個用意し、第１長辺１ａ，２ａのうち半分領域を突き合わせた状態で床面に沿う横方向に組み合わせて第１組み合わせ単位Ｍu1とし、
ユニットモジュールＭを２個用意し、第２長辺１ｂ，２ｂのうち半分領域を突き合わせた状態で床面に沿う横方向に組み合わせて第２組み合わせ単位Ｍu2とし、
第１組み合わせ単位Ｍu1と第２組み合わせ単位Ｍu2を、床面から縦方向に複数段積層して組み合わせる。
このため、周囲から見たときに開放感の演出効果が高い棚機能が達成されるだけでなく、空間を仕切るパーテーション機能が違和感なく達成される三次元空間棚ＵＦ３を提供することができる。さらに、三次元空間棚ＵＦ３の用途として、キャットタワーの用途にまで発展させることが可能である。
【００７２】
(6) ユニットモジュールＭは、第１モジュール基板１と第２モジュール基板２と第１支持板３と第２支持板４と中間支持部材（中間支持板５）とを一体構成とし、
モジュール組み合わせやモジュール組み換えを行う際、所望位置へ載置するだけで連結固定機能が発揮されるモジュール重量の設定とする。
このため、ユニットモジュールＭの組み合わせや組み換えを行う際、連結部材の取り付け作業や取り外し作業を要さず、ユニットモジュールＭを移動させるだけで簡単に組み合わせや組み換えを行うことができる。
【００７３】
以上、本発明のユニット家具を実施例１に基づき説明してきた。しかし、具体的な構成については、この実施例１に限られるものではなく、特許請求の範囲の各請求項に係る発明の要旨を逸脱しない限り、設計の変更や追加等は許容される。
【００７４】
実施例１では、中間支持部材を、第１支持板３と第２支持板４と同一方向であって互いに平行に配置される中間支持板５とする例を示した。しかし、中間支持部材としては、板部材ではなく、円柱部材や角柱部材等のように補強支持効果を持つ部材であれば、中間支持板に限られない。
【００７５】
実施例１では、中間支持板５として、第２短辺１ｄ，２ｄに沿う対向間隔のうち、第１短辺１ｃ，２ｃと交わる位置から第３短辺１ｅ，２ｅと交わる位置を経由して第１長辺１ａ，２ａと交わる位置へと向かう途中位置まで部分的に連結する例を示した。しかし、中間支持板としては、第１短辺と交わる位置から第１長辺と交わる位置までの板の例であっても良いし、第１短辺と交わる位置から第３短辺と交わる位置までの板の例であっても良く、中間支持板の連結長さの設定は実施例１に限られない。
【００７６】
実施例１にてユニット家具ＵＦとして開示したタワー棚ＵＦ１やローテーブルＵＦ２や三次元空間棚ＵＦ３は、あくまでユニット家具ＵＦの一例に過ぎない。よって、ユニットモジュールを１個以上用いるユニット家具であれば、実施例１以外のユニット家具であっても本発明に含まれる。例えば、１個のユニットモジュールＭを、既存のユニット家具に組み合わせる例であっても良い。
【符号の説明】
【００７７】
Ｍ  ユニットモジュール
Ｍu1  第１組み合わせ単位
Ｍu2  第２組み合わせ単位
ＵＦ  ユニット家具
ＵＦ１  タワー棚（ユニット家具）
ＵＦ２  ローテーブル（ユニット家具）
ＵＦ３  三次元空間棚（ユニット家具）
１  第１モジュール基板
１ａ  第１長辺
１ｂ  第２長辺
１ｃ  第１短辺
１ｄ  第２短辺
１ｅ  第３短辺
１ｆ  第４短辺
２  第２モジュール基板
２ａ  第１長辺
２ｂ  第２長辺
２ｃ  第１短辺
２ｄ  第２短辺
２ｅ  第３短辺
２ｆ  第４短辺
３  第１支持板
４  第２支持板
５  中間支持板（中間支持部材）
LL  長辺寸法
LS  短辺寸法
【図１】
2020156913.tif 000003
【図２】
2020156913.tif 000004
【図３】
2020156913.tif 000005
【図４】
2020156913.tif 000006
【図５】
2020156913.tif 000007
【図６】
2020156913.tif 000008
【図７】
2020156913.tif 000009
【図８】
2020156913.tif 000010
【図９】
2020156913.tif 000011
【図１０】
2020156913.tif 000012
【図１１】
2020156913.tif 000013
【図１２】
2020156913.tif 000014